(57)【特許請求の範囲】
【請求項１】
地域情報、およびキーワードを含む１次コンテンツから、公開コンテンツを取得するためのアンカーが付加された２次コンテンツを作成する情報提供装置であって、
公開コンテンツのロケーション、地域情報、およびキーワードを対応付けて格納したデータベースと接続され、
前記１次コンテンツから、キーワードを抽出するキーワード抽出手段と、
前記１次コンテンツから地域情報を獲得する地域情報獲得手段と、
抽出された前記キーワードと、獲得された前記地域情報とをキーとして、前記データベースから該キーワード、および該地域情報に対応付けられた公開コンテンツのロケーションを獲得するロケーション獲得手段と、
前記１次コンテンツ中の前記キーワードに、獲得された前記ロケーションにアクセスするためのアンカーを付与することにより、２次コンテンツを作成する２次コンテンツ作成手段と、
を具備することを特徴とする情報提供装置。
【請求項２】
前記１次コンテンツをネットワーク経由で受信する受信手段と、
前記２次コンテンツを前記１次コンテンツの送信元にネットワーク経由で返信する返送手段と、
を具備する請求項１記載の情報提供装置。
【請求項３】
前記１次コンテンツをネットワーク経由で受信する受信手段と、
前記２次コンテンツを前記１次コンテンツの送信元が指定する配信先にネットワーク経由で配信する配信手段と、
を具備する請求項１記載の情報提供装置。
【請求項４】
前記２次コンテンツを公開コンテンツとしてネットワーク上で公開する公開手段を具備する請求項１記載の情報提供装置。
【請求項５】
地域情報、およびキーワードを含む１次コンテンツに基づいて、公開コンテンツを取得するためのアンカーが付加された２次コンテンツを作成する情報提供装置としてコンピュータを機能させるプログラムを格納した記憶媒体であって、
前記情報提供装置は、公開コンテンツのロケーション、地域情報、およびキーワードを対応付けて格納したデータベースと接続されており、
前記１次コンテンツから、キーワードを抽出するキーワード抽出機能と、
前記１次コンテンツから地域情報を獲得する地域情報獲得機能と、
抽出された前記キーワードと、獲得された前記地域情報とをキーとして、前記データベースから該キーワード、および該地域情報に対応付けられた公開コンテンツのロケーションを獲得するロケーション獲得機能と、
前記１次コンテンツ中の前記キーワードに、獲得された前記ロケーションにアクセスするためのアンカーを付与することにより、２次コンテンツを作成する２次コンテンツ作成機能と、
をコンピュータに実行させるプログラムを記憶したことを特徴とする、コンピュータ読み取り可能な記憶媒体。
【請求項６】
前記プログラムは、コンピュータに、
前記１次コンテンツをネットワーク経由で受信する受信機能と、
前記２次コンテンツを前記１次コンテンツの送信元にネットワーク経由で返信する返送機能と、
を実行させる請求項５記載の記憶媒体。
【請求項７】
前記プログラムは、コンピュータに、
前記１次コンテンツをネットワーク経由で受信する受信機能と、
前記２次コンテンツを前記１次コンテンツの送信元が指定する配信先にネットワーク経由で配信する配信機能と、
を実行させる請求項５記載の記憶媒体。
【請求項８】
前記プログラムは、コンピュータに、
前記２次コンテンツを公開コンテンツとしてネットワーク上で公開する公開機能を実行させる請求項５記載の記憶媒体。
【発明の詳細な説明】
【０００１】
【発明の属する技術分野】
本発明は、ネットワーク上からアクセス可能な公開コンテンツに関する情報を提供し、その公開コンテンツに対するアクセスを提供する情報提供装置及び情報提供プログラムを格納する記憶媒体に関する。
【０００２】
【従来の技術】
インターネットは、その爆発的な普及に伴い、情報流通のための手段として重要度を増してきている。
【０００３】
インターネットが情報流通のための手段として有効に機能するためには、情報検索機能の充実が不可欠である。このような情報検索機能については、検索エンジンと呼ばれる技術が開発され、広く普及している。このような情報検索エンジンは、一般的には、ある特定のキーワードを入力すると、そのキーワードを含む公開コンテンツ（ホームページ）の検索を実行するようになっている。
【０００４】
一方、インターネットの普及によって生じた情報流通革命に着目し、インターネットを利用した各種の広告が急速な普及を遂げている。このような広告は、多くの場合、公開コンテンツの中に広告領域を設け、この広告領域に広告を添付するのが一般的である。つまり、インターネット上で公開されている公開コンテンツは、それが特定の会員等の特定人にだけ提供されるものであるか広く一般の不特定人に提供されるものであるかを問わず、一般的には、ＨＴＭＬ言語で記述されているハイパーテキストであり、ここに広告を添付するのは容易である。そして、こうして広告が添付された公開コンテンツは、ＷＷＷ（World Wide Web）技術によって配信され、ユーザーはブラウザを用いて公開コンテンツを閲覧することが可能である。そして、このような広告にはアンカーが付され、ユーザーが広告領域に添付されたテキストや画像である広告をマウスディバイス等によってその広告をクリックすることで、広告されているサービスが存在するインターネット上のロケーションをアクセスすることができるような仕組みになっている。このような仕組みは、一般的に、リンクが張られていると呼ばれている。つまり、その広告とその広告主のウエブサイトとがリンク付けられているわけである。
【０００５】
また、インターネット上での広告に関しては、ホームページと呼ばれている公開コンテンツばかりでなく、電子メールのコンテンツにも添付されるような仕組みが普及しつつある。一例として、ユーザーがあるプロバイダとの間でインターネット接続に関する契約を交わした場合、そのプロバイダ経由で送信される電子メールに広告が添付されるという仕組みが実用化されている。このような契約では、たとえばインターネットの接続料金等について、ユーザーは利益を享受し得るようになっている。
【０００６】
図２３は、何らかのコンテンツに添付された広告の一例を模式的に示している。つまり、このコンテンツは、紀行文である読み物１００１を本来的な内容としているが、その周囲に広告領域１００２が設けられ、ここに２つの広告１００３、１００４が添付されている。これらの広告１００３、１００４には、それぞれ、広告主のウエブサイト１００３ａ、１００４ａに対するアンカーが付されている。そこで、このコンテンツを閲覧した者がその広告１００３又は１００４をマウスディバイス等によってクリックすると、クリックした広告にリンクするウエブサイト１００３ａ又は１００４ａの閲覧画面となる。
【０００７】
【発明が解決しようとする課題】
〔情報検索機能〕
インターネットにおける情報検索機能として普及している情報検索エンジンは、ある特定のキーワードを入力すると、そのキーワードを含む公開コンテンツ（ホームページ）の検索を実行するようになっている。これは、ユーザーから見ると、キーワードの入力が不可欠であり、最適なキーワードが思いつかない場合には、望んでいる公開コンテンツに辿り着けないことになる。
【０００８】
この点、特開平１１−１７５６２８号公報には、情報検索についての新しい可能性が示されている。つまり、インターネット上の仮想空間であるサイバースペース上でのチャット内容からキーワードを抽出し、このキーワードに対応付けられた画像（メタファと称されている）を画面上に表示し、この画像をクリックすることで詳細内容を画面上に表示するというものである。この場合、詳細内容は、別のウエブサイト（ホームページ）にリンクさせて画面上に表示しても良いことが示されている。
【０００９】
もっとも、特開平１１−１７５６２８号公報では、キーワードに対応付けられた画像は広告であり、この公報に記載された発明は、新しい検索技術を提供するというものではない。
【００１０】
また、特開平１１−１７５６２８号公報に記載された発明では、キーワードに対応付けられた画像が画面上に表示されるため、本来のコンテンツ内容が見ずらくなってしまうという問題がある。
【００１１】
〔広告〕
広告主にとっては、自らが提供するサービスにできるだけ多くのユーザーを呼び込むことができるような広告が望ましい。そのためには、
・コンテンツを閲覧したユーザーに好感を持ってもらう
・できるだけ多くのコンテンツに広告を出す
・自らのサービスに興味を持ちそうなユーザー層に広告を見てもらう
という面を向上させたい。ところが、特開平１１−１７５６２８号公報に示されている例も含む従来のインターネット上での広告方法では、次に示すような問題がある。
【００１２】
（１）コンテンツに添付された広告のために、本来の内容が妨げられ、広告がかえって逆効果となってしまう。
【００１３】
以下、図２４に基づいて、この問題を考える。図２４は、電子メールに広告が添付された画面表示例を示す模式図である。
【００１４】
図２４（ａ）に示すように、このコンテンツでは、メール本文２００１が本来的な内容を構成する。そして、その周囲に広告領域２００２が設けられ、この広告領域２００２に画像データによる複数個の広告２００３〜２００７が添付されている。このようなコンテンツは、インターネット上で一般的に見ることができるコンテンツである。
【００１５】
ところが、一見しても分かるように、画面中を示す広告の割合が極めて大きい。このため、本来のコンテンツに集中しにくくなり、場合によっては、そのコンテンツの本来的な内容をなすメール本文２００１がどこにあるのかが分からない場合も生ずる。このため、広告主の印象が悪くなってしまうことが予想される。
【００１６】
これは、数値的にも、図２４（ｂ）に示すように、コンテンツ全体の面積は８００×６００＝４８００００画素であるのに対して、コンテンツの本来的な内容をなすメール本文２００１は４００×２００＝８００００画素しかなく、よって、広告領域２００２の面積は、４８００００−８０００＝４０００００画素もあることになる。これは、広告面積比として見ると、４０００００／４８００００＝０．８３ということになり、コンテンツ全体の８３パーセントもの領域を広告２００３〜２００７が占めていることになる。
【００１７】
さらに問題なのは、その場合のデータ内容やデータサイズである。つまり、図２４（ｃ）に示すように、テキストデータであるメール本文２００１のデータサイズは２００バイトであるのに対し、広告２００３〜２００７のデータサイズは一つが４０００バイトとしても、４０００×５＝２００００バイトものデータサイズとなってしまう。これは、広告２００３〜２００７には画像データが用いられるのが普通だからである。そこで、データサイズ比として見ると、２００００／２００＝１００、つまり、広告２００３〜２００７がメール本文２００１の１００倍ものデータサイズとなっている。このため、ユーザーが使用するコンピュータにおいてコンテンツの読み込みに時間がかかり、肝心のメール本文２００１をなかなか見ることができないという煩わしさが生ずる。これは、通信回線の品質が低くデータ転送速度が遅い環境では深刻な問題である。このため、ユーザーはコンテンツが開くまで待たなければならず、これによって、広告主に対する印象が悪くなる可能性がある。
【００１８】
（２）コンテンツの作成者が広告の添付や更新を行なわなければならないため、コンテンツ作成者の負担が大きい。こうした作業を厭わない意欲的なコンテンツ作成者はインターネット利用者の中でそれほど多くなく、その結果、広告を出すことができるコンテンツの飛躍的な増加は期待できない。
【００１９】
（３）自らのサービスに興味を持ちそうなユーザー層やそのようなユーザー層が閲覧する可能性が高いコンテンツを特定するのは困難である。
【００２０】
この問題については、前述した特開平１１−１７５６２８号公報に示された技術が解決策を提供する。しかしながら、この公報に記載された発明では、広告主のサービスへのリンクを持つメタファを本来のコンテンツである会話文と別に表示するため、依然として上記（１）の問題は解消されない。しかも、メタファを本来のコンテンツに混在させることは、例えば視覚障害者等の利用を考慮した場合、アクセシビィリティーへの配慮が不足するといわざるを得ない。しかも、サイバースペースに参加するユーザーに限定された広告では、上記（２）の問題を克服することもできない。
【００２１】
本発明の目的は、情報検索の容易化を図ることである。
【００２２】
本発明の別の目的は、望ましい広告方法を提供することである。
【００２３】
【課題を解決するための手段】
地域情報、およびキーワードを含む１次コンテンツから、公開コンテンツを取得するためのアンカーが付加された２次コンテンツを作成する情報提供装置であって、公開コンテンツのロケーション、地域情報、およびキーワードを対応付けて格納したデータベースと接続され、前記１次コンテンツから、キーワードを抽出するキーワード抽出手段と、前記１次コンテンツから地域情報を獲得する地域情報獲得手段と、抽出された前記キーワードと、獲得された前記地域情報とをキーとして、前記データベースから該キーワード、および該地域情報に対応付けられた公開コンテンツのロケーションを獲得するロケーション獲得手段と、前記１次コンテンツ中の前記キーワードに、獲得された前記ロケーションにアクセスするためのアンカーを付与することにより、２次コンテンツを作成する２次コンテンツ作成手段とを具備することを特徴とする。
【００４４】
したがって、１次コンテンツ中のキーワードおよび地域情報に対して、このキーワードおよび地域情報と関係する公開コンテンツのロケーションにアクセスするためのアンカーが付与された２次コンテンツが作成される。したがって、１次コンテンツが指定する地域情報による情報の絞りがかけられ、２次コンテンツの閲覧者がより興味を持ちそうな公開コンテンツとキーワードとが関連付けられることになる。
【００４７】
請求項２記載の発明は、請求項１記載の情報提供装置において、前記１次コンテンツをネットワーク経由で受信する受信手段と、前記２次コンテンツを前記１次コンテンツの送信元にネットワーク経由で返信する返送手段と、を具備する。
【００４８】
したがって、２次コンテンツが１次コンテンツの送信元に返信される。このような構成上、本請求項に係る発明は、情報検索のために用いるのに適している。
【００４９】
請求項３記載の発明は、請求項１記載の情報提供装置において、前記１次コンテンツをネットワーク経由で受信する受信手段と、前記２次コンテンツを前記１次コンテンツの送信元が指定する配信先にネットワーク経由で配信する配信手段と、を具備する。
【００５０】
したがって、２次コンテンツが１次コンテンツの送信元が指定する配信先に配信される。このような構成上、本請求項に係る発明は、情報検索のためだけでなく、広告目的で用いるのにも適している。
【００５１】
請求項４記載の発明は、請求項１記載の情報提供装置において、前記２次コンテンツを公開コンテンツとしてネットワーク上で公開する公開手段を具備する。
【００５２】
したがって、２次コンテンツが公開コンテンツとしてネットワーク上で公開され、閲覧可能となる。このような構成上、本請求項に係る発明は、情報検索のために用いるのにも、広告目的で用いるのにも適している。
【００８３】
【発明の実施の形態】
〔全体の概略構成〕
本発明の実施の形態を図面に基づいて説明する。本実施の形態は、インターネットを利用した構成例である。
【００８４】
図１は、全体のシステム構成例を示す模式図である。図１中、電子データの通信網であるネットワークとして機能するインターネット１０１が仮想的に示されており、インターネット１０１を経由して、コンテンツ送信クライアント１０２、２次コンテンツ受信クライアント１０３、情報仲介サーバー１０４、情報提供サイト１０５及びサービス提供サイト１０６が接続可能となっている。
【００８５】
ここで、コンテンツ送信クライアント１０２は、コンテンツの作成者が利用するクライアント端末である。情報仲介サーバー１０４は、情報仲介者が運営する情報仲介用のサーバーであり、コンテンツ送信クライアント１０２からインターネット１０１を経由して送信された電子メール等の１次コンテンツ２０１を加工して２次コンテンツ２０２を作成するのに用いる（図６〜図８参照）。２次コンテンツ受信クライアント１０３は、情報仲介サーバー１０４で作成されたコンテンツが配信されるクライアント端末であり、システム構成によっては、コンテンツ送信クライアント１０２と２次コンテンツ受信クライアント１０３とが同一のクライアント端末であることがあり得る。情報提供サイト１０５及びサービス提供サイト１０６は、公開コンテンツ２０３（図８参照）を提供するインターネット１０１上で公開されている情報提供者及びサービス提供者が運営するウエブサイトである。公開コンテンツ２０３は、会員向にクローズされたものであっても、広く一般に公開されたものであっても、インターネット１０１上で閲覧可能なものであれば、その種類を問わない。
【００８６】
ここで、情報仲介サーバー１０４は、コンテンツ送信クライアント１０２からインターネット１０１を経由して送信された電子メール等のコンテンツを加工して２次コンテンツを作成する。このような処理を実行するために、情報仲介サーバー１０４は、データベースとしてのキーワードデータベース１０８に接続されており、このキーワードデータベース１０８から必要なデータを得る。情報仲介サーバー１０４における２次コンテンツ２０２の作成処理については後述するが、図１には、その処理を実行するための機能ブロック図が示されている。つまり、情報仲介サーバー１０４は、キーワード抽出部１０９及び２次コンテンツ作成部１１０を有し、キーワードデータベース１０８はキーワード検索部１１１、データ保存部１１２及びデータ登録部１１３を有する。
【００８７】
図２は、各部で用いられるコンピュータの基本構成を示すブロック図である。前述したコンテンツ送信クライアント１０２、２次コンテンツ受信クライアント１０３、情報仲介サーバー１０４、キーワードデータベース１０８、情報提供サイト１０５及びサービス提供サイト１０６は、すべてコンピュータである。その概略構造としては、図２に示すように、各種演算処理を実行して各部を集中制御するＣＰＵ１１４及びメモリ１１５を基本構成とするマイクロコンピュータを主体として、このマイクロコンピュータに、通信装置１１６、ハードディスク１１７、表示装置１１８、入力装置１１９、及びＣＤ−ＲＯＭドライブ１２０がバス接続された構成となっている。そして、ハードディスク１１７には、ＣＰＵ１１４及びメモリ１１５を基本構成とするマイクロコンピュータに所定の処理を実行させるためのデータコードを記述するプログラム１２１がインストールされている。このプログラム１２１は、一般的にはＣＤ−ＲＯＭ等に格納された形態でパッケージングされており、ＣＤ−ＲＯＭドライブ１２０でのリード動作によってハードディスク１１７にインストールされる。もっとも、ＣＤ−ＲＯＭというのは一例であり、プログラムを格納する記憶媒体としては、フロッピーディスク等の磁気的な記録媒体でも、ＣＤ−ＲやＤＶＤ−ＲＯＭ、ＤＶＤ−ＲＡＭ等の光学的な記憶媒体でも、どのようなものであっても良い。更には、プログラム１２１は、インターネット１０１等のネットワークを経由して通信装置１１６を介して取り込まれ、ハードディスク１１７にインストールされたものであっても良い。プログラム１２１を記憶するものは、如何なるものであってもプログラムを格納する記憶媒体になり得る。
【００８８】
図３は、データベースの一例を示す模式図である。このデータベース１２２は、キーワードデータベース１０８中のデータ保存部１１２に保存されており、キーワード１２２ａに対応させて公開コンテンツ２０３のロケーションとしてのＵＲＬ１２２ｂが格納されている。ここで、キーワード１２２ａとＵＲＬ１２２ｂとの対応関係は、本システムの使用用途に応じて適宜規定し得る。例えば、検索用の情報提供システムとして構築する場合には、キーワード１２２ａのメタファとなり得る情報を含む公開コンテンツ２０３のＵＲＬ１２２ｂが格納される。一例として、「タンチョウ」というキーワード１２２ａに対しては、「ＷＥＢ動物図鑑」のＵＲＬ１２２ｂが格納されるという具合である（図３及び図８参照）。これに対して、広告用の情報提供システムとして構築する場合には、キーワード１２２ａに対して広告に関する公開コンテンツ２０３のＵＲＬ１２２ｂが格納される。この場合、キーワード１２２ａと公開コンテンツ２０３との関係は、公開コンテンツ２０３がキーワード１２２ａのメタファをなすような関係であっても、広告主が所望のキーワード１２２ａを購入したというような動機付けで関連付けられるような関係であっても、どのような関係であっても良い。例えば、「ツアー」というキーワード１２２ａに対しては「ＡＢＣ観光（株）」の公開コンテンツ２０３、「スキー」というキーワード１２２ａに対しては「新潟スキー場」の公開コンテンツ２０３、「夜行バス」というキーワード１２２ａに対しては「ＸＹＺ交通」の公開コンテンツ２０３がそれぞれメタファを構成する（図１２参照）。
【００８９】
図９は、データベース１２２の別の一例を示す模式図である。このデータベース１２２では、キーワード１２２ａにＵＲＬ１２２ｂ及び地域情報１２２ｃが対応付けられて格納されている。例えば、「野鳥」というキーワード１２２ａに対して、「鎌倉／湘南」という地域情報１２２ｃが格納されている場合には、公開コンテンツ２０３として、「鎌倉野鳥愛好会」の公開コンテンツ２０３のＵＲＬ１２２ｂが格納されている。
【００９０】
ここで、図１中に、情報仲介サーバー１０４において２次コンテンツ２０２の作成処理を実行するための機能ブロック図を示したが、この機能ブロック図に示されている機能は、実際には、図２に示すハードウエア構成によって実現される。具体的には、キーワード抽出部１０９は、コンテンツ送信クライアント１０２から送信された１次コンテンツ２０１であるメール本文からキーワードを抽出する（キーワード抽出手段、キーワード抽出機能）。この際、情報仲介サーバー１０４のハードディスク１１７にインストールされたプログラム１２１に従い情報処理を行なうＣＰＵ１１４及びメモリ１１５は、メール本文に対して形態素解析を施し、キーワードを抽出する。そして、キーワードデータベース１０８も、そのハードディスク１１７にインストールされたプログラム１２１に従い情報処理を行なうＣＰＵ１１４及びメモリ１１５が所定の処理を実行する。つまり、キーワードデータベース１０８は、そのデータ保存部１１２に、データ登録部１１３を経て登録された図３又は図９に示すようなデータベース１２２を保存している。そこで、キーワードデータベース１０８は、キーワードを抽出した情報仲介サーバー１０４からの指示によって、キーワード検索部１１１がデータ保存部１１２に格納されたデータベース１２２から情報仲介サーバー１０４において抽出されたキーワード１２２ａを検索し、そのキーワード１２２ａに対応付けられたＵＲＬ１２２ｂを獲得する（ロケーション獲得手段、ロケーション獲得機能）。そして、キーワードデータベース１０８は、獲得したＵＲＬ１２２ｂを情報仲介サーバー１０４に送信する。情報仲介サーバー１０４は、その２次コンテンツ作成部１１０において、コンテンツ送信クライアント１０２から送信された１次コンテンツ２０１であるメール本文に対して、受信したＵＲＬ１２２ｂを付与する。ここでの処理は、メール本文をＨＴＭＬテキストに変換し、その中にアンカーとしてＵＲＬ１２２ｂを付与するという処理を実行する（図７参照）。こうして、２次コンテンツ２０２が作成される（２次コンテンツ作成手段、２次コンテンツ作成機能）。
【００９１】
情報仲介サーバー１０４は、作成した２次コンテンツ２０２をインターネット１０１上で公開することもできるし（公開手段、公開機能）、インターネット１０１を介してコンテンツ送信クライアント１０２に返送することも（返送手段、返送機能）、インターネット１０１を介して２次コンテンツ受信クライアント１０３に配信することもできる（配信手段、配信機能）。これらの公開、返送及び配信の各機能は、周知技術によって実現されるため、その説明は省略する。
【００９２】
〔第１の実施の形態〕
本発明の第１の実施の形態を図１ないし図８に基づいて説明する。
【００９３】
図４は、データ及び貨幣の交換を伴うビジネス方法を示す模式図である。本実施の形態は、コンテンツ送信クライアント１０２を用いて１次コンテンツを作成するコンテンツ作成者に対して、情報仲介サーバー１０４が検索情報を提供する情報提供システムとして構築されている。つまり、本実施の形態では、コンテンツ作成者は２次コンテンツの受信者であり、この者は、情報仲介サーバー１０４を用いたビジネスを行なう情報仲介者に会費を支払う。ここでの会費の支払いは、情報処理を利用した銀行からの振込み処理、情報処理を利用したデポジット金額の引き落とし処理等、データ処理によって実現することもできる（第１の課金手段、第１の課金機能）。情報仲介者は、情報提供サイト１０５を用いたビジネスを行なう情報提供者に対して、報償金を支払い、情報提供者によるその者のウエブサイトの維持と質の向上を支援する。そして、情報仲介者は、コンテンツ作成者から送信された１次コンテンツに基づいて２次コンテンツを作成し、これをコンテンツ作成者でもあるコンテンツ受信者に返信する。
【００９４】
これにより、コンテンツ作成者兼コンテンツ受信者は、自分が作成した１次コンテンツ２０１であるメール本文に対して、そのメール本文からキーワードとして抽出された名詞にＵＲＬにアクセスすることができるアンカーが付与された２次コンテンツ２０２を受け取ることができ、この２次コンテンツ２０２のキーワードを、入力装置１１９である例えばマウスディバイスによってクリックすることで、そのキーワードに付与されたアンカーが指定するＵＲＬにアクセス可能となる。
【００９５】
このようなシステム構成上、情報仲介サーバー１０４と組で使用されるキーワードデータベース１０８のデータ保存部１１２には、情報提供サイト１０５のＵＲＬ１２２ｂがキーワード１２２ａと対応付けられたデータベース１２２が格納される（図３参照）。この場合、情報提供を目的としているため、キーワード１２２ａとＵＲＬ１２２ｂによってロケーション指定される公開コンテンツ２０３とは、公開コンテンツ２０３がキーワード１２２ａに対してメタファの関係を構成するように選択される。例えば、「北海道」というキーワード１２２ａに対しては「北海道振興協会のページ」のＵＲＬ１２２ｂが対応付けられ、「釧路湿原」というキーワード１２２ａに対しては「道東観光情報」のＵＲＬ１２２ｂが対応付けられ、「タンチョウ」というキーワード１２２ａに対しては「ＷＥＢ動物図鑑」のＵＲＬ１２２ｂが対応付けられている。
【００９６】
図５は２次コンテンツの作成処理の流れを示すフローチャート、図６はキーワード抽出処理の流れを示す模式図、図７は２次コンテンツの作成時におけるＨＴＭＬ文書作成手順を示す模式図、図８は完成した２次コンテンツの一例を示す模式図である。
【００９７】
ここで、図５を参照しながら情報仲介サーバー１０４がそのハードディスク１１７にインストールされたプログラム１２１に従い実行する処理の流れを説明する。まず、情報仲介サーバー１０４は、インターネット１０１を経由してコンテンツ送信クライアント１０２から送信された原文、つまり、１次コンテンツ２０１（図６（ａ）参照）を受信し、これをメモリ１１５に保存する（ステップＳ１０１）。この原文は、例えば、
「今度の休みは北海道を旅行したい。特に釧路湿原を回って、タンチョウを見たい。」
というようなテキスト文である。そして、その原文に対して公知の形態素解析を施し（ステップＳ１０２）、テキストデータを分割して品詞情報を持つ小さな語句とする。つまり、上記のテキスト文であれば、
「今度／の／休み／は／北海道／を／旅行／し／たい／。／特に／釧路湿原／を／回っ／て／、／タンチョウ／を／見／たい／。」
という語句が得られる（図６（ｂ）参照）。そこで、これらの語句からキーワード候補を抽出するために（図６（ｃ）参照）、分割された語句から最初の語句を取り出し（ステップＳ１０３）、その語句が名詞であるかどうかを判定する（ステップＳ１０４）。その語句が名詞であるとの判定は、その後句がキーワード候補であることの判定を意味する。そこで、その語句がキーワード候補であると判定されたら（ステップＳ１０４のＹ）、次に、それがキーワード１２２ａであるかどうかの判定処理を行なう（ステップＳ１０５）。ここでのキーワード１２２ａかどうかの判定は、そのキーワード候補である語句が図３に示すデータベース１２２に登録されているかどうかを判定することを意味する。そこで、このステップＳ１０５での処理は、キーワードデータベース１０８のキーワード検索部１１１に対して検索指示をかけることによる。情報仲介サーバー１０４は、キーワードデータベース１０８からの返答によってその語句がキーワード１２２ａであるかどうかを認識する。キーワードデータベース１０８からの返答には、そのキーワード１２２ａに対応付けられたＵＲＬ１２２ｂが含まれている。そこで、キーワード１２２ａであった場合には（ステップＳ１０５のＹ）、その語句をＨＴＭＬのアンカータグで挟み、そのアンカータグにキーワード１２２ａと共にキーワードデータベース１０８から送信されたＵＲＬ１２２ｂを挿入し、これをメモリ１１５中のバッファ領域に出力する（ステップＳ１０７）。これに対して、ステップＳ１０４でキーワード候補が名詞では無いと判定された場合（ステップＳ１０４のＮ）、又は、ステップＳ１０５でキーワード候補がキーワード１２２ａではないと判定された場合（ステップＳ１０５のＮ）には、その後句をそのままメモリ１１５中のバッファ領域に出力する（ステップＳ１０６）。その後、キーワード候補中における次の語句の有無が判定され（ステップＳ１０８）、次の語句がある場合には次の語句を取り出して（ステップＳ１０９）、ステップＳ１０４の判定処理にリターンする。
【００９８】
ここで、ステップＳ１０６及びステップＳ１０７の実行によってメモリ１１５中のバッファ領域に出力された語句及びアンカータグで挟まれたキーワード１２２ａは、図７に示すように、ＨＴＭＬ文書を構成する。そこで、図５に示す処理が終了した場合には、メモリ１１５中のバッファ領域に図７に例示するようなＨＴＭＬ文書が完成し、これによって、１次コンテンツ２０１に基づいて２次コンテンツ２０２が作成される。
【００９９】
情報仲介サーバー１０４は、こうして作成した２次コンテンツ２０２をインターネット１０１経由で２次コンテンツ受信クライアント１０３に配信する。本実施の形態では、２次コンテンツ受信クライアント１０３は、コンテンツ送信クライアント１０２である。もっとも、２次コンテンツ受信クライアント１０３とコンテンツ送信クライアント１０２とは別のコンピュータであっても良い。これは、コンテンツ送信クライアント１０２から情報仲介サーバー１０４への１次コンテンツ２０１の送信に際し、２次コンテンツ２０２の配信先を指示する配信先指示情報を送信情報に含ませておけば容易に実現される。
【０１００】
２次コンテンツ受信クライアント１０３では、配信された２次コンテンツ２０２をブラウザで表示した場合、２次コンテンツ２０２中のアンカータグで挟まれたキーワード１２２ａがアンダーラインや別色表示等の手法で強調表示される（図８参照）。そして、これらのキーワード１２２ａをマウスディバイス等でクリックすると、アンカータグで挟まれたＵＲＬ１２２ｂがインターネット１０１を経由してインターネットプロバイダに送信され、そのＵＲＬ１２２ｂを持つ公開コンテンツ２０３にアクセスすることができ、その公開コンテンツ２０３の内容を２次コンテンツ受信クライアント１０３においてブラウズすることが可能となる。こうして、コンテンツ作成者兼２次コンテンツ受信者に情報の提供がなされる。
【０１０１】
ここで、図８より明らかなように、２次コンテンツ２０２は、図６（ａ）に示す１次コンテンツ２０１に対して外見上大きく変化しない。このため、コンテンツの表示内容が見易いものとなる。また、２次コンテンツ２０２は、１次コンテンツ２０１に対してＵＲＬ１２２ｂを指定するアンカーが付加されているに過ぎないため、１次コンテンツ２０１と比較してデータサイズが激増するようなことがない。したがって、見易さ及びデータサイズの両面から、２次コンテンツ２０２の閲覧者であるコンテンツ作成者兼２次コンテンツ受信者に、不愉快な思いをさせることを防止することができる。
【０１０２】
また、情報検索という側面からは、単純なキーワード検索と異なり、自然言語中のキーワードにＵＲＬが付加されるという検索手法が採用されるため、情報検索希望者により希望に沿う情報を提供することが可能となる。
【０１０３】
〔第２の実施の形態〕
本発明の第２の実施の形態を図９及び図１０に基づいて説明する。図９はデータベース１２２の一例を示す模式図、図１０は１次コンテンツ２０１と完成した２次コンテンツ２０２との一例を示す模式図である。なお、第１の実施の形態と同一部分は同一符号で示し説明も省略する。
【０１０４】
本実施の形態では、前述した地域情報１２２ｃを含むデータベース１２２が用いられる。そこで、キーワード１２２ａに基づくＵＲＬ１２２ｂの検索に当たり、地域情報１２２ｃが考慮される。
【０１０５】
つまり、コンテンツ送信クライアント１０２から情報仲介サーバー１０４に送信する１次コンテンツ２０１としての送信テキストには、「ｌｏｃａｌ：」に続けて地域の名称を書き込む。すると、情報仲介サーバー１０４においては、キーワード１２２ａにＵＲＬ１２２ｂ及び地域情報１２２ｃを対応付けられて格納する図９に例示するデータベース１２２を検索し、キーワード１２２ａと地域情報１２２ｃとの両面からキーワード１２２ａを検索する（地域情報獲得手段、地域情報獲得機能）。例えば、図９中、「野鳥」というキーワード１２２ａには、「新横浜／港北」という地域情報１２２ｃと「鎌倉／湘南」という地域情報１２２ｃとが含まれている。そこで、１次コンテンツ２０１中に「ｌｏｃａｌ：新横浜」という地域指定名称が含まれているとすると、情報仲介サーバー１０４は、「新横浜／港北」という地域情報１２２ｃを含んでいる「野鳥」というキーワード１２２ａのみを検索する。これにより、情報仲介サーバー１０４は、１次コンテンツ２０１中の「野鳥」というキーワード１２２ａに、「新横浜／港北」という地域情報１２２ｃを含んでいる「野鳥」というキーワード１２２ａに対応付けられたＵＲＬ１２２ｂのみのアンカーを付与して２次コンテンツ２０２を作成する（図１０参照）。その結果、本実施の形態では、２次コンテンツ２０２の閲覧者がより興味を持ちそうな公開コンテンツ２０３のアンカーをキーワードに付加することができ、したがって、公開コンテンツ２０３の利用価値をより一層高めることができる。
【０１０６】
〔第３の実施の形態〕
本発明の第３の実施の形態を図１１及び図１２に基づいて説明する。図１１はデータ及び貨幣の交換を伴うビジネス方法を示す模式図、図１２は１次コンテンツと完成した２次コンテンツとの一例を示す模式図である。なお、第１〜第２の実施の形態と同一部分は同一符号で示し説明も省略する。
【０１０７】
図１１に示すように、本実施の形態では、情報仲介者は、例えばインターネットプロバイダである。コンテンツ作成者は、インターネットプロバイダである情報仲介者とインターネット接続契約を結ぶ。この契約としては、インターネット接続料を無料にする等の特典をコンテンツ作成者に付与する代わりに、その者の電子メールに広告を付するという契約である。この場合、情報仲介サーバー１０４がデータ処理による課金システムを備えているとすると、ここでは、情報仲介サーバー１０４は、コンテンツ作成者の接続料を無料とするようなデータ処理を実行することになる（特典付与手段、特典付与機能）。広告は、情報仲介者に広告料を支払っているサービス提供者の広告である。つまり、情報仲介者はサービス提供者から広告料を受け取り、その代わりにコンテンツ作成者と無料のインターネット接続契約を結び、このコンテンツ作成者の電子メールを必ず情報仲介者経由で２次コンテンツ受信者に配信されるようにする、というシステム構成である。ここでの広告料の支払いは、情報処理を利用した銀行からの振込み処理、情報処理を利用したデポジット金額の引き落とし処理等、データ処理によって実現することもできる（第２の課金手段、第２の課金機能）。したがって、情報仲介者は、コンテンツ作成者から送信された電子メールという１次コンテンツにサービス提供者の広告を付与し、２次コンテンツ受信者に配信するという処理が行なわれる。この場合、コンテンツ作成者と２次コンテンツ受信者とは、基本的には異なる人である。
【０１０８】
より具体的な例としては、図１２に示すように、コンテンツ作成者が、
「スキーへいく件ですが、良いツアーは見つかりましたか？夜行バスを利用すれば、安くあがりそうですね。」
というメール本文を作成し、これを１次コンテンツとしてコンテンツ送信クライアント１０２から情報仲介サーバー１０４に送信した場合を想定する。この場合、図５に示すステップＳ１０５において、「スキー」、「ツアー」及び「夜行バス」がキーワード１２２ａとして検索された場合、情報仲介サーバー１０４では、それぞれのキーワード１２２ａに対応付けられた「新潟スキー場」、「ＡＢＣ観光（株）」及び「ＸＹＺ交通」という公開コンテンツ２０３にアクセスするためのＵＲＬ１２２ｂがそれらのキーワード１２２ａにそれぞれアンカーとして付与された２次コンテンツ２０２が作成され、これが２次コンテンツ受信者の２次コンテンツ受信クライアント１０３にインターネット１０１経由で送信される。この場合、コンテンツ送信クライアント１０２と２次コンテンツ受信クライアント１０３とは、基本的に異なる所有者に所有されたコンピュータである。
【０１０９】
そこで、そのような２次コンテンツ２０２を受信した２次コンテンツ受信クライアント１０３の表示装置１１８では、図１２に広告付きメールとして示すような表示をブラウズすることが可能となる。そして、２次コンテンツ受信クライアント１０３では、「スキー」、「ツアー」及び「夜行バス」のそれぞれのキーワードをクリックすることで、それぞれにアンカーとして付与されたＵＲＬ１２２ｂによって指定される公開コンテンツ２０３をブラウズできる。
【０１１０】
以上の処理がハードウエア上でどのように実行されるかについては、前述した第１の実施の形態及び第２の実施の形態で説明した通りなので、その説明は省略する。
【０１１１】
〔第４の実施の形態〕
本発明の第４の実施の形態を図１３及び図１４に基づいて説明する。図１３はデータ及び貨幣の交換を伴うビジネス方法を示す模式図、図１４は報償金ファイルの一例を示す模式図である。なお、第１〜第３の実施の形態と同一部分は同一符号で示し説明も省略する。
【０１１２】
本実施の形態は、基本的には第３の実施の形態と同様である。第３の実施の形態との相違点は、コンテンツ作成者に情報仲介者から与える特典の内容だけである。つまり、第３の実施の形態では、インターネット接続料を無料にする等の特典をコンテンツ作成者に付与する代わりに、その者の電子メールに広告を付するという契約内容である。これに対して、本実施の形態では、インターネット接続料の無料サービスに代え、あるいは、インターネット接続料を無料にするという特典に加えて、コンテンツ作成者が電子メールを送信する度に、情報仲介者からコンテンツ作成者に報償金を与えるようなシステム構成となっている。情報仲介者では、その報償金を、サービス提供者から得る広告料で充当することになる。
【０１１３】
報償金の与え方としては、各種の手法が考えられる。例えば、コンテンツ送信クライアント１０２から電子メールが情報仲介サーバー１０４経由で１通送信される毎に規定額の報償金を与えるという手法や、コンテンツ送信クライアント１０２から電子メールが情報仲介サーバー１０４経由で１通送信される毎にｎポイントの報償ポイントを加算するという手法が実現可能である。この場合、情報仲介サーバー１０４において、そのような報奨金や報償ポイントのデータは、図示しないファイルでファイル管理することが必要である。そして、コンテンツ作成者に報償ポイントとして特典を付与する場合には、例えば、図１４に示すような報償ファイルを情報仲介サーバー１０４に設けておき、ポイント数に応じて商品をコンテンツ作成者に与えるというような運用が実施可能である。
【０１１４】
〔第５の実施の形態〕
本発明の第５の実施の形態を図１５ないし図１８に基づいて説明する。図１５は情報仲介サーバー１０４の機能ブロック図、図１６は頻度テーブルの一例を示す模式図、図１７はキーワードの頻度を求める処理の流れを示すフローチャート、図１８はキーワードの頻度を求める処理の流れを示す模式図である。なお、第１〜第４の実施の形態と同一部分は同一符号で示し説明も省略する。
【０１１５】
本実施の形態では、サービス提供サイト１０６を管理するサービス提供者の公開コンテンツ２０３に対してアンカーが付与される頻度を求め、アンカーが付与される頻度に応じて広告料についての課金額を設定するようにしている。これにより、広告効果に応じて広告料が設定されることになる。
【０１１６】
具体的には、情報仲介サーバー１０４では、そのハードディスク１１７にインストールされたプログラム１２１によってキーワード頻度の算出処理が実行され、この処理によって算出されたキーワード頻度がハードディスク１１７中のキーワード頻度情報記憶部１２３（図１５及び図１８参照）に格納されるようになっている。そして、情報仲介サーバー１０４では、キーワード頻度情報記憶部１２３の他、頻度に応じて広告料を決定するための頻度テーブル１２４が設けられ、この頻度テーブル１２４を参照してキーワード頻度情報記憶部１２３に格納されたキーワード頻度に基づく広告料を算出するという処理が実行される（頻度検出手段、頻度検出機能）。こうして、キーワード毎に広告料が算出される。
【０１１７】
以上述べたような処理を図１７のフローチャートに基づいてより詳細に説明する。この図１７に示すルーチンは、図５に示す２次コンテンツ２０２の作成処理に際して並列処理される。まず、図５中のステップＳ１０５においてキーワード１２２ａが抽出されると、この処理によって得られたキーワード１２２ａが図１７のルーチンにおいて利用される。この処理は、図１７に示すルーチンにおいて、最初のキーワードを取り出すという処理として実行される（ステップＳ２０１）。次いで、キーワード頻度情報記憶部１２３からそのキーワード１２２ａに関する頻度（Ｎ）をメモリ１１５上にロードし（ステップＳ２０２）、Ｎ＝Ｎ＋１というインクリメント処理を実行する（ステップＳ２０３）。そして、インクリメント処理により更新されたＮの値をハードディスク１１７上のキーワード頻度情報記憶部１２３に保存する（ステップＳ２０４）。その後、次のキーワード１２２ａがあれば（ステップＳ２０５のＹ）、次のキーワード１２２ａを取り出し（ステップＳ２０６）、ステップＳ２０２の処理にリターンし、同一の処理を繰り返す。このような処理は、次のキーワード１２２ａがなくなるまで（ステップＳ２０５のＮ）繰り返される。
【０１１８】
以上説明したような図１７のルーチンによって、キーワード１２２ａの頻度、つまり、サービス提供サイト１０６を管理するサービス提供者の公開コンテンツ２０３に対してアンカーが付与される頻度が求められる。例えば、図１８に示すように、「おすすめの美容院はどこ？」というテキスト文が情報仲介サーバー１０４において形態素解析され、「おすすめ／の／美容院／は／どこ／？」という語句に分解されたと想定する（図５のフローチャート中のステップＳ１０２〜１０４参照）。そして、これらの語句中、「おすすめ」「美容院」がキーワードとして抽出されたとすると（図５のフローチャート中のステップＳ１０５参照）、図１７のルーチンが実行されることによって、キーワード頻度情報記憶部１２３中、「おすすめ」というキーワードの頻度が１３３０４から１３３０５に更新され、「美容院」というキーワードの頻度が２２５０から２２５１に更新される。
【０１１９】
そこで、情報仲介サーバー１０４は、キーワード頻度情報記憶部１２３の更新処理を例えば１ヶ月単位で締め、頻度テーブル１２４を参照して各キーワード１２２ａの頻度から各キーワード１２２ａについての広告料を算出する。こうして算出された広告料が、情報仲介者からサービス提供者に請求されることになる。
【０１２０】
〔第６の実施の形態〕
本発明の第６の実施の形態を図１９ないし図２１に基づいて説明する。図１９はオークションにおける指値入力画面の一例を示す模式図、図２０はオークション処理の流れを示す模式図、図２１はオークション処理の流れを示すフローチャートである。なお、第１〜第５の実施の形態と同一部分は同一符号で示し説明も省略する。
【０１２１】
本実施の形態では、キーワード１２２ａの価格をオークション（せり）によって決定するというものである。まず、情報仲介サーバー１０４では、キーワード１２２ａに関するオークションの公開コンテンツ２０３をインターネット１０１上に公開する。そこで、サービス提供サイト１０６を提供するコンピュータにおいて、あるキーワード１２２ａについてオークションの参加を宣言すると、図１９に示すような画面がブラウズされる。この画面は、オークションにおける指値入力画面であり、連絡先１２５と候補額１２６とに必要事項を記入して送信ボタン１２７をクリックすると、連絡先１２５と候補額１２６とに入力された情報がインターネット１０１を経由して情報仲介サーバー１０４にフォーム送信される。そこで、図２０に示すように、連絡先１２５と候補額１２６とを受信した情報仲介サーバー１０４では、そのハードディスク１１７にインストールされたプログラムの一部であるせり処理プログラムが起動し、受信情報に基づくオークション処理を実行する（金額受信手段、金額受信機能）。図２０に示す例では、あるキーワード１２２ａについて、メーカーＡ〜Ｄより５５００円、６２００円、６０００円、５８００円という指値が送信されている例を示す。せり処理プログラムは、それらの指値から、最高額であるメーカーＢの６２００円を取得する（金額確定手段、金額確定機能）。
【０１２２】
図２１は、せり処理プログラムでの処理の流れを示すフローチャートである。まず、情報仲介サーバー１０４は、インターネット１０１経由でフォーム送信された指値としての候補額（Ｐ）を受信し、これをメモリ１１５上に保持する（ステップＳ３０１）。そして、ハードディスク１１７から現時点までの最高候補額（Ｍ）を呼び出し、メモリ１１５上にロードする（ステップＳ３０２）。そして、フォーム送信された指値としての候補額（Ｐ）と現在までの最高候補額（Ｍ）とを比較し（ステップＳ３０３）、候補額（Ｐ）が最高候補額（Ｍ）を上回れば（ステップＳ３０３のＹ）、候補額（Ｐ）を最高候補額（Ｍ）に書き替え（ステップＳ３０４）、更新された最高候補額（Ｍ）の値をハードディスク１１７上に保存する（ステップＳ３０５）。このような処理を例えば１週間、１ヶ月というような期間のタイムアップまで続行する（ステップＳ３０６）。
【０１２３】
図２２に示すように、情報仲介サーバー１０４を管理する情報仲介者は、最高候補額である６２００円をつけたメーカーＢにそのキーワード１２２ａに関する権利を付与する。つまり、データベース１２２中、そのキーワード１２２ａである「デジタルカメラ」について、メーカーＢの公開コンテンツ２０３へのアクセスを許容するＵＲＬ１２２ｂを設定する。そして、情報仲介者は、サービス提供者であるメーカーＢに、１ヶ月当たり６２００円の広告料を請求する。
【０１２４】
このように、本実施の形態では、キーワード１２２ａをオークション（せり）にかけることができる。この場合、出現頻度が高く広告効果が高いと思われるキーワード１２２ａには、自然と高い金額が付けられるであろうことから、公平なシステムを構築することができる。また、より関係が深いキーワード１２２ａと公開コンテンツ２０３とが対応付けられる可能性が高くなることから、２次コンテンツ２０２の閲覧者がより興味を持ちそうな公開コンテンツ２０３のアンカーをキーワード１２２ａに付加することができ、したがって、公開コンテンツ２０３の利用価値をより一層高めることができる。このため、キーワード１２２ａと関連付けられる公開コンテンツ２０３が広告である場合には、広告主側からすると広告効果をより一層向上させることができ、２次コンテンツの閲覧者側からするとより有益な情報を得ることができる。
【０１２５】
【発明の効果】
請求項１、５記載の発明は、１次コンテンツ中のキーワードに対して、このキーワードに関連する公開コンテンツのロケーションにアクセスするためのアンカーを付与し、これによって２次コンテンツを作成するようにしたので、１次コンテンツ中のキーワードに対して、このキーワードと関係する公開コンテンツのロケーションにアクセスするためのアンカーを付与した２次コンテンツを作成することができる。
【図面の簡単な説明】
【図１】全体のシステム構成例を示す模式図である。
【図２】各部で用いられるコンピュータの基本構成を示すブロック図である。
【図３】本発明の第１の実施の形態として、データベースの一例を示す模式図である。
【図４】データ及び貨幣の交換を伴うビジネス方法を示す模式図である。
【図５】２次コンテンツの作成処理の流れを示すフローチャートである。
【図６】キーワード抽出処理の流れを示す模式図である。
【図７】２次コンテンツの作成時におけるＨＴＭＬ文書作成手順を示す模式図である。
【図８】完成した２次コンテンツの一例を示す模式図である。
【図９】本発明の第２の実施の形態として、データベースの一例を示す模式図である。
【図１０】１次コンテンツと完成した２次コンテンツとの一例を示す模式図である。
【図１１】本発明の第３の実施の形態として、データ及び貨幣の交換を伴うビジネス方法を示す模式図である。
【図１２】１次コンテンツと完成した２次コンテンツとの一例を示す模式図である。
【図１３】本発明の第４の実施の形態として、データ及び貨幣の交換を伴うビジネス方法を示す模式図である。
【図１４】報償ファイルの一例を示す模式図である。
【図１５】本発明の第５の実施の形態を示す情報仲介サーバーの機能ブロック図である。
【図１６】頻度テーブルの一例を示す模式図である。
【図１７】キーワードの頻度を求める処理の流れを示すフローチャートである。
【図１８】キーワードの頻度を求める処理の流れを示す模式図である。
【図１９】本発明の第６の実施の形態を示すオークションにおける指値入力画面の一例を示す模式図である。
【図２０】オークション処理の流れを示す模式図である。
【図２１】オークション処理の流れを示すフローチャートである。
【図２２】広告が添付されたコンテンツの一例を示す模式図である。
【図２３】従来の一例として、広告が添付されたコンテンツ例を示す模式図である。
【図２４】従来の一例として、電子メールに広告が添付された画面表示例を示す模式図である。
【符号の説明】
１２１        プログラム
１２２        データベース
１２２ａ      キーワード
１２２ｂ      ロケーション（ＵＲＬ）
１２２ｃ      地域情報
２０１        １次コンテンツ
２０３        公開コンテンツ
２０２        ２次コンテンツ
【図１】
0004141099.tif 000002
【図２】
0004141099.tif 000003
【図３】
0004141099.tif 000004
【図４】
0004141099.tif 000005
【図５】
0004141099.tif 000006
【図６】
0004141099.tif 000007
【図７】
0004141099.tif 000008
【図８】
0004141099.tif 000009
【図９】
0004141099.tif 000010
【図１０】
0004141099.tif 000011
【図１１】
0004141099.tif 000012
【図１２】
0004141099.tif 000013
【図１３】
0004141099.tif 000014
【図１４】
0004141099.tif 000015
【図１５】
0004141099.tif 000016
【図１６】
0004141099.tif 000017
【図１７】
0004141099.tif 000018
【図１８】
0004141099.tif 000019
【図１９】
0004141099.tif 000020
【図２０】
0004141099.tif 000021
【図２１】
0004141099.tif 000022
【図２２】
0004141099.tif 000023
【図２３】
0004141099.tif 000024
【図２４】
0004141099.tif 000025